(57)【要約】【課題】遊技機の入替え作業における、遊技機の運搬作業、遊技機の設置、配線処理等の作業を容易に行うことができ、作業時間、作業コスト、作業量を軽減し、安定性、安全性に優れた遊技機を提供する。【解決手段】本発明においては、遊技機を上部ユニットと下部ユニットに枠体ごと分離する構造とし、上部ユニットを箱形状のまま一体で着脱可能とした。また、メダル補給シュート連結部材が下部ユニットに固定される構造となっており、遊技機の入替え作業は上部ユニットのみの着脱によって行なうようになっているため、メダル補給シュートを遊技機から着脱する必要がなく、入替え作業の負担を軽減することができる。【選択図】        図２
2004313701.tif 000002
【特許請求の範囲】
【請求項１】
外周に図柄を配列した複数のリールを有するリールユニットと、前記複数のリールを個々に回転させ、停止したときの前記図柄の組合わせに応じて入賞の払出しを行う遊技制御手段と、前記遊技制御手段による遊技の進行に関連する演出を行う演出制御手段とを備えた遊技機において、
前記遊技機は、上部ユニット及び下部ユニットから成り、筐体ごと二段に分離可能な連結機構を有することを特徴とする遊技機。
【請求項２】
前記上部ユニットは、前記リールユニット、前記遊技制御手段及び前記演出制御手段の少なくとも一つを収納する上部枠体と、前記上部枠体に開閉自在に取付けられ、表示パネル、演出表示ユニット、表示ランプ及びスピーカの少なくとも一つを備える上部扉とから成ることを特徴とする請求項１に記載の遊技機。
【請求項３】
前記下部ユニットは、メダルホッパー、電源ボックス、集中端子板及びメダル回収ボックスの少なくとも一つを収納する下部枠体と、メダル投入口、スタートレバー、少なくとも一つの停止ボタン、複数のベットスイッチ、清算ボタン及び下部パネルの少なくとも一つを備える下部扉とから成ることを特徴とする請求項１に記載の遊技機。
【請求項４】
前記上部ユニットと前記下部ユニットの間に形成された空間部に設けられた前記連結機構は、上部仕切板、下部仕切板、コネクタ連結部、スライド抑止部、レール部、上部ユニットストッパーの少なくとも一つを有していることを特徴とする請求項１に記載の遊技機。
【請求項５】
前記下部ユニットは、メダル補給シュート連結部材を取り付けるための取付孔を有する背面板を備え、前記メダル補給シュート連結部材は、前記下部ユニットに固定されていることを特徴とする請求項１乃至請求項４に記載の遊技機。
【発明の詳細な説明】
【０００１】
【発明の属する技術分野】
本発明は、図柄が配列された複数のリールを回転表示し、遊技者のリール停止ボタン操作によって、すべてのリールの回転が停止した時に現れる図柄の組合わせに基づいて入賞が決定され、所定の払出しが行われるスロットマシンに代表される遊技機に関する。
【０００２】
【従来の技術】
従来のスロットマシンに代表される遊技機は、一体に形成された筐体内上方部に、外周に図柄が配列された３個の回転リール及びそれらリールを駆動させるステッピングモータ、及び外周に配列された図柄を遊技中に遊技者が目視しやすいように、各リール内側に設けられ、背面から各図柄を照射するランプ又はＬＥＤ（以下バックライトという）等から成るリールユニットが収納されており、遊技用制御基板及び演出用制御基板は上記リールユニットの近傍に取付けられている。
【０００３】
また、筐体に開閉自在に取付けられた前面扉の上方部には、リールユニットに対応する位置に表示窓が設けられ、さらには、遊技機内部での乱数による抽選処理によって決定される抽選の結果を遊技者に報知するための表示ランプや告知ランプ、或いはスピーカ、及び入賞配当を図示した表示パネルが取付けられている。
【０００４】
メダル払出機能を有するメダルホッパー及びメダル回収ボックス、遊技機を駆動させる電源部等は、遊技機筐体内下方部のスペースを利用して収納されている。また、前面扉中央部には、遊技者が遊技を進行させるための装置類として、メダル投入口、スタートボタン、複数のリール停止ボタン、複数のベットスイッチ等が設けられ、下方部正面には遊技機の種類を視覚的にデザインした下部パネルと、さらにその下にはメダル受皿等が取付けられている。
【０００５】
遊技者が、メダル投入口にメダルを投入し、スタートレバーを操作すると、各リールは回転を開始してゲームがスタートする。各リールが一斉に回転を始めると、表示窓には図柄が移動して表示される。
【０００６】
遊技者が移動表示される図柄を見ながら各リールに対応する３個の停止ボタンを順次操作すると、夫々のリールが停止し、有効ライン上にいずれかの図柄が停止する。
有効ラインは５本設けられており、メダルの投入枚数が１枚、２枚、３枚と増えるにつれて、有効となるラインの本数も１本、３本、５本と増えるようになっている。その結果、有効となっているライン上に所定の図柄組合わせが揃うと入賞となり、メダルの払出しが行われる。
【０００７】
遊技者は、上記のように入賞役の内部当選が予想される場合、役に対応する図柄を有効となっているライン上に停止させるように停止ボタンを操作する。そして有効となっているライン上に入賞役に対応する図柄を揃えることができれば、その役に対応する枚数のメダルの払出しを受けることができる。また、役に対応する図柄を揃えることができなければ投入したメダルを失うことになる。
【０００８】
従来の遊技機の筐体は、一体に形成された枠体と、その枠体に一側縁部が開閉自在になるように他方側縁部が枢止された一体の前面扉から構成されている。枠体内部は、仕切板で仕切られ、その上にリールユニットを取付けるとともに、遊技制御基板及び演出制御基板が、枠体上部の内壁面、或いは前面扉内側上部に取付けられている。一方、仕切板下方部のスペースにはメダルホッパー、メダル回収ボックス及び電源ユニット等が収納されている。
【０００９】
また、遊技場ホールにおいては、これらの遊技機及びメダル貸出機を複数台ずつ並列させた遊技島を複数列配置するとともに、各列の遊技機の上方にメダル供給ラインと、下方にメダル回収ラインを設け、メダル供給制御装置によって遊技機内及びメダル貸出機のメダルホッパーにメダル供給ラインからメダル補給するよう制御するメダル供給システムを備えている。
【００１０】
【発明が解決しようとする課題】
近年、多種多様な遊技機が開発されて、また、遊技者のニーズも多様化しているため、一機種当たりのライフサイクルが短縮化しており、遊技者の興味を惹きつけるためには、遊技機を短期間で新機種に入替えなければならくなっている。しかしながら、上記従来の遊技機では、遊技機の入替え作業において、遊技機の設置、配線処理等の他に、遊技機の後面に固定されたメダル補給シュートの着脱作業も行う必要があり、ホール管理者にとって作業時間、作業コスト、作業量において負担になるという問題があった。
【００１１】
そこで、シュートの下端部を遊技機の後部のメダル体導入金具に接続し、調整や交換等のため、遊技機を取外す場合、シュートの上端を排出開口部側から外すことによって、シュートとともに遊技機を取り出すことができるように構成したものが、特開５−４２２５２号公報に開示されている。また、蛇腹（シュート）の他端をゲーム機の後面から貫通させてメダルホッパーの上方に位置させ、メダル供給ラインからメダルを補給させるようにしたものが、特開２００２−１０２４２５号広報に開示されている。
【００１２】
しかしながら、上記の公報に開示さている技術は、一体に形成された筐体の後面にメダル補給シュートを取り付けるようにしているため、遊技機の入替え作業時には、遊技機からメダル補給シュートを着脱する作業が発生し、煩わしいという問題があった。
【００１３】
【課題を解決するための手段】
上記課題を解決するため、本発明においては、外周に図柄を配列した複数のリールを取付けたリールユニットと、前記複数のリールを個々に回転させ、停止したときの前記図柄の組合わせに応じて入賞の払出しを行う遊技制御手段と、前記遊技制御手段による遊技の進行に関連する演出を行う演出制御手段とを備えた遊技機において、
前記遊技機は、上部ユニット及び下部ユニットから成り、筐体ごと二段に分離可能な連結機構を有することを特徴とする。
【００１４】
また、前記上部ユニットは、前記リールユニット、前記遊技制御手段及び前記演出制御手段の少なくとも一つを収納する上部枠体と、前記上部枠体に開閉自在に取付けられ、表示パネル、演出表示ユニット、表示ランプ及びスピーカの少なくと一つを備える上部扉とから成ることを特徴とする。
【００１５】
更に、前記下部ユニットは、メダルホッパー、電源ボックス、集中端子板及びメダル回収ボックスの少なくとも一つを収納する下部枠体と、メダル投入口、スタートレバー、少なくとも一つの停止ボタン、複数のベットスイッチ、清算ボタン及び下部パネルの少なくとも一つを備える下部扉とから成ることを特徴とする。
【００１６】
前記上部ユニットと前記下部ユニットの間に形成された空間部に設けられた前記連結機構は、上部仕切板、下部仕切板、コネクタ連結部、スライド抑止部、レール部、上部ユニットストッパーの少なくとも一つを有していることを特徴とする。
【００１７】
また、前記下部ユニットは、メダル補給シュート連結部材を取り付けるための取付孔を有する背面板を備え、前記メダル補給シュート連結部材は、前記下部ユニットに固定されていることを特徴とする。
【００１８】
本構成によれば、遊技機の機種入替え作業時には、メダル補給シュートの着脱をせずに、上部ユニットのみを丸ごと入替えるだけでよく、作業時の気遣いや、前面扉の開放スペース、或いは作業スペースを考慮する必要がなく、容易な作業が可能であり、作業効率を向上することができる。
【００１９】
また、機種入替え作業に伴って変更が必要な機器類を全て上部ユニットに収納し、下部ユニットには他機種と共有可能な機器類を収納するようにしているため、機種入替え時には、上部ユニットのみを交換すればよく、作業コストを低減することができる。
【００２０】
さらには、メダル補給シュート連結部材が下部ユニット側に固定されており、上部ユニットの着脱に影響しないため、遊技機の入替え作業の負担を軽減させることができる。
【００２１】
【発明の実施の形態】以下、本発明の好ましい実施形態を、図面に基づいて説明する。図１は本発明の実施に係る遊技機枠体の斜視図である。図２は本発明の要部であるメダル補給シュートの連結部材と下部ユニットを示す側面図である。図３は本発明の要部であるメダル補給シュートの連結部材と下部ユニットを示す背面図である。
【００２２】
図１〜図３を参照して、本発明によるスロットマシンの構成について説明する。スロットマシン本体１は、上部ユニット２及び下部ユニット３に筐体の枠体ごと分離可能なように、上下部仕切板４、５を挟んで締結部材である連結固定ツマミ６ａ、６ｂによって左右両端部が固定されている。上部ユニット２には、上部前面扉（図示しない）が取付けられており、この上部扉の中央部には前面パネル（図示せず）が嵌め込まれており、一部透明な３つの表示窓（図示せず）を通して、スロットマシン本体内部に並設されている３個のリール（図示せず）が観察できる。各リールの外周面には、例えば２１個の図柄が等間隔で配列されており、図柄は、ビッグボーナス（ＢＢ）図柄、レギュラーボーナス（ＲＢ）図柄、小役図柄、リプレイ図柄等から構成され、各リールはそれぞれ異なる図柄配列となっている。
【００２３】
リールは、リールユニット（図示せず）として構成され、各リール毎にリール駆動手段の一部であるステッピングモータ（図示せず）が連結されており、このステッピングモータの駆動によって各リールを回転させ、各表示窓内にそれぞれのリールを移動表示させる。各リール７の内部には３個のランプケース（図示せず）がそれぞれ設けられており、各ランプケース内にはバックライト（図示せず）が取付けられている。各バックライトはランプ駆動回路（図示せず）を介して個別に点灯制御され、各リール毎に３個ずつ図柄を背面から照らすことができる。
【００２４】
前面パネルの表示窓上には、有効ラインが横方向に３本と、斜め方向に２本の合計５本のラインが表示されるようになっている。各リールが順次停止し、この有効ライン上のいずれかに特定の図柄が揃った場合に入賞となり、所定のメダルの払出しが行われる。
【００２５】
有効ライン数は、メダル投入口１７から投入されたメダル枚数、或いは、クレジットメダル表示部（図示せず）にメダルがクレジットされている場合には、ＢＥＴスイッチ（図示せず）の押下操作によって設定されたメダル投入数に応じて有効本数が異なる。ＢＥＴ表示ランプ（図示せず）は、例えば、有効ライン数を示す数字「１」、「２」、「３」が縦又は横に配列されており、１枚のメダルが投入された場合は、ＢＥＴ表示ランプの数字「１」が点灯し、１本の有効ラインが表示され、２枚のメダル投入があった場合は、数字「２」が点灯し、３本の有効ラインが表示さる。そして３枚のメダルが投入されると数字「３」が点灯して、５本全ての有効ラインが表示される。
【００２６】
前面パネルの両側にはサイドランプ（図示せず）及びサイドスピーカー（図示せず）、上方には上部ランプ（図示せず）、また、表示窓の上部には液晶表示部（図示せず）等が設けられている。これらは各駆動回路を介して制御され、ゲーム中の一般的な入賞報知やマシン動作の効果音、効果サウンド等を出力する他、様々な内部抽選の結果を遊技者に告知するための表示手段を構成している。なお、ゲーム中の内部当選の告知は、上記表示手段の他に、別途個別の告知表示部を設け、そこで行わせるようにしてもよい。
【００２７】
上部ユニット２の背面板の内側に取付けられている遊技制御基板（図示せず）には、スロットマシンで実行されるゲームシーケンスプログラムが格納されており、ゲーム全体の進行が制御されている他、図柄テーブル、入賞組合わせテーブル、入賞確率テーブル等が格納されており、乱数発生器から所定のタイミングでゲーム毎に乱数値を発生させ、その乱数値に基づいて上記各テーブルを参照して入賞の有無が判定され、入賞の場合には入賞役に対応した配当が払い出される。
【００２８】
また、この遊技制御基板は、入力ポート及び出力ポートを有し、メダルセンサ、クロック発生回路、スタートレバー、第１、２、３リールインデックスが、さらには、停止ボタン、第１、２、３リール、第１、２、３リール表示器、メダルブロックソレノイド、スタートレバーＬＥＤ、３個のＢＥＴ表示ランプ等の周辺装置が電気的に接続されている。各リールは、リールモータと同軸でそれぞれ連結されており、一定のステップ角で各リールを回転させる。リールインデックスは、各リールが一回転する毎に発生するリセットパルスを検出し、その所定の基準位置からの回転角度をリールの回転位置として計数し、その計数値が遊技制御手段に入力される。また、演出制御基板にデータを送出するための送出タイミング制御回路及びデータ送出回路等から主に構成され、ゲームの状況に応じて、送出タイミング制御回路にデータの出力タイミング情報信号を出力し、この出力タイミング情報信号を一時的に蓄えた後、サブ制御部のデータ入力回路に出力する。
【００２９】
一方、上部ユニット２内の左側面壁に取付けられている演出制御基板（図示せず）は、ＣＰＵ、音声ＬＳＩ、データ入力回路、クロック発生回路、制御用ＲＯＭ、ＲＡＭ、音声用ＲＯＭ、アンプ回路等を備え、液晶（ドット）表示装置、上部ランプ、サイドランプ、リールバックライト、及びスピーカー等が接続されている。
【００３０】
下部ユニット３前面の下部扉１８の上方部には、各リール７を回転させるための可変表示始動手段であるスタートレバー１９と複数の停止ボタン（図示せず）、ベットスイッチ（図示せず）、清算ボタン（図示せず）等が設けられ、中央正面には下部パネル（図示せず）が嵌め込まれている。
【００３１】
また、下部扉の下方部には、投入されたメダルを返却する返却口（図示せず）や入賞時に獲得したメダルを払い出すメダル払出口（図示せず）から排出されたメダルを貯留するためのメダル受皿２０が設けられている。
【００３２】
下部ユニット３の内部には、メダルホッパー２１、メダル回収ボックス（図示せず）及び電源ユニット（図示せず）、外部集中端子板（図示せず）が取付けられている。
【００３３】
上部ユニットの外枠体は、下向き凸型に形成されており、上面板７、背面板８、及び上面板の左右両端縁から鉛直下方向に側面板９ａ、９ｂがそれぞれ取付けられている。この両側面板の下方部は、レールを取付けるスペースを確保するために、レール幅よりわずかに広く内側にそれぞれ張出させ、上部ユニットを下部ユニットに重ねたときに、下部ユニットの下部仕切板５上の両側端部に接触して支持する脚部１０ａ、１０ｂを有し、さらに、上部ユニットの底面を構成する周縁部と、下部ユニットの上面の周縁部とが当接して重なるようになっている。
【００３４】
金属性の上レール１１ａ、１１ｂは、断面形状が略Ｕ字型の形状をなしており、脚部長手方向の長さよりやや短めに形成され、両側の脚部外側面後方部の位置にネジ止めによってそれぞれ取付けられている。このレール部材の長さ及び取付け位置は、上部ユニットストッパー２７の大きさと取付け位置によって変更するようにしてもよい。
【００３５】
上部ユニット２の底面を形成する上部仕切板４は、例えば金属製の加工板であって、底面部と、この底面部の奥側縁端部が垂直上方向に延設された上延設部と、正面側及び両側縁端部が垂直下方向に延設された下延設部を有している。この上延設部及び両側縁端の下延設部を介して、上部仕切板は上部ユニット外枠体にネジ止め固定さている。また、底面部の正面側及び両縁端部が垂直下方向に延設された下延設部は、上下ユニット同士を装着した際に、下部仕切板５との間に空間部を形成するようになっている。
【００３６】
上部仕切板の中央部には、長手方向に切欠いた横長孔が、２列に敵宜の間隔で設けられており、これら２つの横長孔の間の裏面空間部には、２個のオス型コネクタ２８ａが取付けられている。また、下部仕切板の中央奥側には、上記した上部仕切板に取付けられたオス型コネクタと対応する位置にメス型コネクタ２８ｂが取付けられている。これら２個のコネクタは、下部ユニット３に収納されている外部集中端子板（図示しない）及び電源ユニット（図示しない）からの配線を、上部ユニットに取付けられている遊技制御基板（図示しない）にそれぞれ接続するものであり、上部仕切板に設けられたオス型コネクタと、下部仕切板のメス型コネクタとの着脱によって切り離しが可能なコネクタ連結部を構成している。従って、上部ユニットと下部ユニットの着脱作業における上部ユニットのスライド動作に伴って、上部ユニット側の配線と、下部ユニット側の配線とを、自動的に着脱することができる。
【００３７】
なお、上部仕切板及び上下レールの材質は、上記に限定されるものではなく、リールユニットを取付けて保持することができ、上下ユニットの着脱動作に耐えうる強度を有しているもの、例えば木製、或いは硬質樹脂等を使用することも可能である。
【００３８】
一方、下部ユニット３は、背面板１２、底面板１３、側面板１４ａ、１４ｂ及び上面を形成する木製下部仕切板５から成り、上部ユニットの脚部１０ａ、１０ｂの高さに対応して、下部ユニットの上面端よりやや下方に取付けられている。そのため、上部ユニットの脚部１０ａ、１９ｂが下部ユニットに嵌合され、上部ユニットの下方部が下部ユニットに埋設された状態となり、上下ユニット装着後の左右方向及び後方へのずれを防ぎ、安定した連結状態を保つことができる。
【００３９】
なお、上レールの取付け方法は、上記に限定されるものではなく、上部ユニット２の枠体を下向きコの字型に形成し、上レールの上端部の、長手方向に沿ってＬ字型の延設部を一体に設けるようにし、その垂直面と上部ユニットの両側面板９ａ、９ｂの下方部とをそれぞれ接合するようにしてもよい。
【００４０】
下部ユニット３の背面板１２の長手方向中央部の上方部には、メダル補給シュート連結部材を取り付けるための取付孔２２が貫設されている。この取付孔２２の位置は、本実施例に限定されるものではなく、下部ユニット内に備え付けられたメダルホッパーの位置及び大きさによって変更可能であって、メダル補給シュート連結部材２３から自重によってメダルがホッパーに落下可能な位置関係を有し、排出口２６がホッパーの上面開口部内の適切な位置に達するように構成されていることが好ましい。
【００４１】
また、下部仕切板５の左右両端部には、左右の下レール部材１５ａ、１５ｂが取付けらており、その間には長手方向に沿ってスライド抑止部材１６が取付けられている。スライド抑止部材３３は、断面略Ｌ型の形状をなしており、垂直方向に延設された垂直部と、水平部を有している。垂直部は中央部を切り欠いて左右両端部に適宜の長さで設けてもよく、また水平部と同等の長さで一体に形成してもよい。水平部は、下部仕切板５に取付ける固着部分として貼着或いはネジ固定される。
【００４２】
上部ユニットと下部ユニットの装着作業においては、上部レール１１ａ、１１ｂを下部レール１５ａ、１５ｂの上に載せてスライドさせると、上部仕切板の正面側下延設部が下部仕切板５上の適宜な位置に取付けられたスライド抑止部材１６の垂直部に当接して所定位置で停止して、ユニット同士の連結位置を設定するよう機能するとともに、スライド移動して当接した時の衝撃を緩和させて、上下両ユニット内に収納されている機器を保護することができる。
【００４３】
また、上部仕切板４の左右端部には、連結固定ツマミ６ａ、６ｂのための上部挿通孔がそれぞれ設けられており、下部仕切板５の左右縁端部には、上部挿通孔と対応する位置に下部挿通孔がそれぞれ穿設されている。
【００４４】
連結固定ツマミ６ａ、６ｂは、ツマミ頭と先端が螺刻された軸部とを有し、下部仕切板５の下側から下部挿通孔及び上部仕切板４に設けられた上部挿通孔にそれぞれ貫入させ、上部仕切板４の底面部上でナットによってそれぞれ螺嵌され、上部仕切板４と下部仕切板５とが狭持されるようになっている。
【００４５】
メダル補給シュート連結部材２３は、補給シュート連結管２４及び取付け板２５から構成されており、取付け板２５は、下部ユニット背面板１２にネジ固定され、さらに補給シュート連結管２４が、取付け板２５にネジ固定されている。取付け板２５は、補給シュート連結管の大きさに対応して、補給シュート連結管２４を固定した時に安定する程度の大きさを有していることが好ましい。
【００４６】
補給シュート連結管２４の下方端部は、下部ユニットの背面板１２に貫設された取付孔２２を貫通して、メダルホッパー２１の上面開口部内にメダル排出口２６が適正な位置まで引き込まれ、補給されたメダルが自重によりメダルホッパー内に落下するように配置されている。また、メダル補給シュート連結管２４の上方端部は、メダル補給ラインから延設されたメダル補給ホースを挿入するための開口を有している。
【００４７】
このように、本実施例においては、メダル補給シュート連結部材２３が下部ユニットに固定される構造となっており、遊技機の入替え作業は上部ユニットのみの着脱によって行なうようになっているため、メダル補給シュートを遊技機から着脱する必要がなく、入替え作業の負担を軽減することができる。
【００４８】
【発明の効果】
本構成においては、遊技機の入替え作業に伴う作業時間や作業効率を向上させるために、遊技機を上部ユニットと下部ユニットに分離する構造としたことを特徴とする。上部ユニットには、遊技機の変更に伴って入替えが必須となるリールユニット、遊技制御手段及び演出制御手段の少なくとも一つを収納する上部枠体と、前記上部枠体に開閉自在に取付けられ、表示パネル、演出表示ユニット、表示ランプ及びスピーカの少なくとも一つを備える上部扉を一体で構成し、下部ユニットには、異機種間で共通して使用可能な、メダルホッパー、電源ボックス、外部集中端子板及びメダル回収ボックスの少なくとも一つを収納する下部枠体と、メダル投入口、スタートレバー、少なくとも一つの停止ボタン、複数のベットスイッチ、清算ボタン及び下部パネルの少なくとも一つを備える下部扉で構成している。従って、遊技機の入替え作業では、上部ユニットを箱形状のまま一体で着脱可能であるため、収納されている機器の損傷を削減でき、また容易かつ迅速な作業ができる。なお、上部枠体、上部扉、下部枠体及び下部扉に備え付けられる機器構成は上記に限定されるものではなく、例えば、演出制御基板を上部扉裏側に取付けるようにしてもよく、本実施例では下部ユニット内に収納されている外部集中端子板を上部ユニットに収納することも可能である。
【００４９】
また、メダル補給シュート連結部材が下部ユニットに固定される構造となっており、遊技機の入替え作業は上部ユニットのみの着脱によって行なうようになっているため、メダル補給シュートを遊技機から着脱する必要がなく、入替え作業の負担を軽減することができる。
【図面の簡単な説明】
【図１】図１は本発明の実施に係る遊技機枠体の斜視図である。
【図２】本発明の要部であるメダル補給シュートの連結部材と下部ユニットを示す側面図である。
【図３】本発明の要部であるメダル補給シュートの連結部材と下部ユニットを示す背面図である。
【符号の説明】
１…遊技機
２…上部ユニット
３…下部ユニット
４…上部仕切板
５…下部仕切板
６ａ、６ｂ…連結固定ツマミ
７…上部ユニット上面板
８…上部ユニット背面板
９ａ、９ｂ…上部ユニット側面板
１０ａ、１０ｂ…脚部
１１ａ、１１ｂ…上レール
１２…下部ユニット背面板
１３…下部ユニット底面板
１４ａ、１４ｂ…下部ユニット側面板
１５ａ、１５ｂ…下レール
１７…メダル投入口
１８…下部扉
１９…スタートレバー
２０…メダル受皿
２１…メダルホッパー
２３…メダル補給シュート連結部材
２４…連結管
２５…取付け板
２６…メダル排出口
２７…上部ユニットストッパー
２８ａ…コネクタ連結部（オス型コネクタ）
２８ｂ…コネクタ連結部（メス型コネクタ）
【図１】
2004313701.tif 000003
【図２】
2004313701.tif 000004
【図３】
2004313701.tif 000005